(57)【要約】【課題】針状物等で薬剤容器のシール材を穿刺することで、ポートから容器本体に異物が混入された場合や異物を混入させる試みがされた場合であっても、容易にその事実を検知可能な手段を提供すること。【解決手段】内容物を収容する容器本体の開口を被覆するシール材であって、開口と剥離可能に接着するシーラント層と、シーラント層の開口に対向する面とは反対の面側に形成された機能層とを有しており、機能層は、針状物による穿刺及び／又はその後の抜針により、視認可能な欠陥及び／又は隣接する層からの剥離を生じる、シール材。【選択図】図３
2019037663.tif 000002
【特許請求の範囲】
【請求項１】
内容物を収容する容器本体の開口を被覆するシール材であって、
前記開口の周縁と剥離可能に接着するシーラント層と、該シーラント層の前記開口に対向する面とは反対の面側に形成された機能層とを有しており、
前記機能層は、針状物による穿刺及び／又はその後の抜針により、視認可能な欠陥及び／又は隣接する層からの剥離を生じる、シール材。
【請求項２】
前記開口は、前記容器本体に一端が接続された前記内容物の流出用のポートの他端に形成されたものである、請求項１記載のシール材。
【請求項３】
前記シーラント層に対向する面とは反対の前記機能層の面側に、保護層を備え、
前記機能層及び前記保護層は、針状物による穿刺及び／又はその後の抜針により、視認可能な欠陥及び／又は隣接する層からの剥離を生じる、請求項１又は２に記載のシール材。
【請求項４】
視認可能な前記欠陥は、亀裂及び／又は小片化である、請求項１〜３のいずれか一項に記載のシール材。
【請求項５】
前記剥離は、前記シーラント層と前記機能層との間で生じる、請求項１〜４のいずれか一項に記載のシール材。
【請求項６】
前記剥離は、剥離する層の一部又は全部で生じる、請求項１〜５のいずれか一項に記載のシール材。
【請求項７】
前記機能層には、切込み又は目打ちが形成されており、視認可能な前記欠陥及び／又は隣接する層からの前記剥離は、前記切込み又は前記目打ちに沿って生じる、請求項１〜６のいずれか一項に記載のシール材。
【請求項８】
前記シーラント層と接する面とは反対の前記機能層の面上に、保護層を備え、
前記機能層及び／又は前記保護層には、切込み又は目打ちが形成されており、視認可能な前記欠陥及び／又は隣接する層からの前記剥離は、前記切込み又は前記目打ちに沿って生じる、請求項１〜６のいずれか一項に記載のシール材。
【請求項９】
内容物を収容する容器本体の開口をシール材で被覆した容器であって、
前記シール材は、請求項１〜８のいずれか一項に記載のシール材である、容器。
【請求項１０】
内容物として薬剤を収容する容器本体と、該容器本体に一端が接続され前記薬剤を流出入させるポートとを備える容器であって、
前記ポートの他端は、請求項２〜８のいずれか一項に記載のシール材で被覆されている容器。
【発明の詳細な説明】
【技術分野】
【０００１】
本発明は、シール材及び容器に関する。
【背景技術】
【０００２】
従来、水・電解質の補給、栄養の補給、血管の確保、病態の治療等を目的として輸液が広く用いられている。輸液は、輸液バッグに収容して用いられるが、輸液バッグとしては、輸液を内包する容器本体と輸液排出用のポートとを有するものが一般的である。ポートの内部には、輸液の流出を防止するためのゴム栓等の封止体が配置されており、ポートの開口部はシール材で被覆され、輸液バッグの使用時にはシール材の少なくとも一部が剥離される。
【０００３】
輸液がアミノ酸や特定の抗生物質を含有する場合、酸素の影響を受けやすいためポートは酸素の侵入を防御可能なものである必要があり、ある種の薬剤を含む輸液では、解離平衡を維持するために、封止体とシール材の間のポート内スペース（ヘッドスペース）を窒素ガスで置換することがある。輸液が特殊な組成でない場合であっても、ポート内の清浄のためにポートの開口部をシール材で覆うのが通常である。このように、輸液バッグにおいては、ポートをシール材で被覆することで密閉状態に保つ必要があり、密閉状態が損なわれたときにはそれを外部から検知する必要がある。
【０００４】
密閉状態の検知が可能な輸液バッグとしては、例えば、ヘッドスペース内にガス検知体を配設し、密閉性が損なわれたときのガス検知体の反応を外部から目視で確認できるようにしたものが知られている（例えば、特許文献１）。
【先行技術文献】
【特許文献】
【０００５】
【特許文献１】特開２００５−３４９１８２号公報
【発明の概要】
【発明が解決しようとする課題】
【０００６】
近年、ポートから輸液バッグ内部へ意図的な異物混入が行われた事件が発生しており、異物が混入されたことを、人体に処方する前に容易に検知可能にする必要性が高まっている。
【０００７】
そこで、本発明の目的は、針状物等で容器のシール材を穿刺することで、容器本体に異物が混入された場合や異物を混入させる試みがされた場合であっても、容易にその事実を検知可能な手段を提供することにある。
【課題を解決するための手段】
【０００８】
本発明は、内容物を収容する容器本体の開口を被覆するシール材であって、上記開口の周縁と剥離可能に接着するシーラント層と、このシーラント層の上記開口に対向する面とは反対の面側に形成された機能層とを有しており、上記機能層は、針状物による穿刺及び／又はその後の抜針により、視認可能な欠陥及び／又は隣接する層からの剥離を生じる、シール材を提供する。
【０００９】
本発明のシール材は上記構成を有することから、このシール材で開口部が被覆された容器について、シール材への穿刺で容器本体に異物が混入された場合や、異物を混入させる試みがされた場合であっても、機能層における視認可能な欠陥や隣接する層からの剥離により、容易にその事実を検知可能である。なお、視認可能な欠陥は、亀裂及び／又は小片化であり得る。
【００１０】
上記開口部は、上記容器に一端が接続された上記内容物の流出用のポートの他端に形成されたものであってもよい。すなわち、本発明は、薬剤を収容する容器本体に一端が接続された上記薬剤の流出入用のポートの、他端を被覆するシール材であって、上記他端と剥離可能に接着するシーラント層と、このシーラント層の上記ポートと接する面とは反対の面上に形成された機能層とを有しており、上記機能層は、針状物による穿刺及び／又はその後の抜針により、視認可能な欠陥及び／又は隣接する層からの剥離を生じる、シール材を提供する。
【００１１】
上記シール材によれば、針状物等で薬剤容器のシール材を穿刺することで、ポートから容器本体に異物が混入された場合や異物を混入させる試みがされた場合であっても、容易にその事実を検知可能となる。意図的に異物を混入させようとする者は、異物混入の痕跡を消そうとするために、容器本体を直接穿刺するのではなく、ポート側から容器本体へ異物を混入させる。すなわち、容器本体をニードル等の針状物で穿刺した場合、抜針後に薬剤が漏れ出すことから、ポートにシール材が貼り付けられた状態のまま、針状物をシール材及び封止体（ゴム栓）に突き刺して貫通させ、容器本体内部へ異物を混入させた後抜針する。抜針の結果生じた穿孔のサイズが小さかったり目立たなかった場合には、医療関係者は、シール材が貼られたままであるため未使用であると誤解して、そのまま使用してしまう可能性がある。
【００１２】
本発明のシール材は、針状物による穿刺やその後の抜針により、機能層に視認可能な欠陥や隣接する層からの剥離が生じるため、ポートから容器本体に異物が混入されたことや、異物を混入させる試みがされたことが明らかとなり、異常が生じていることが容易に視認できる。
【００１３】
上記シール材においては、上記シーラント層と接する面とは反対の上記機能層の面側に、保護層を備え、上記機能層及び上記保護層は、針状物による穿刺及び／又はその後の抜針により、視認可能な欠陥及び／又は隣接する層からの剥離を生じるようにしてもよい。
【００１４】
機能層としては、欠陥や層剥離の生じやすいものを使用しているため、これが露出していると、異物混入目的の針状物以外のものと接触したときに、欠陥や層剥離が生じてしまうことも考えられるため、機能層を保護層で被覆することで想定外の欠陥や層剥離が生じることを防止でき、異物が混入されたこと、或いは異物を混入させる試みがされたことを確実に検出できる。
【００１５】
剥離は、上記シーラント層と上記機能層との間で生じるように構成することが可能である。シール材がシーラント層と機能層のみを有するときは、両層の間で剥離が生じるが、シール材がこれらの層に加えて保護層を有する場合は、剥離はシーラント層と機能層との間で生じても、機能層と保護層との間で生じても、これらが同時に起こってもよい。しかし、上記のように保護層を機能層における想定外の欠陥や層剥離の防止に役立たせるためには、これらの層の間で剥離が生じるよりも、シーラント層と機能層との間で生じさせることが好ましい。
【００１６】
剥離は、剥離する層の一部又は全部で生じるようにすることができる。シール材がシーラント層と機能層のみからなる場合は、針状物による穿刺やその後の抜針により、機能層全体が剥離するように層間の積層強度を調整することもできる。また、層間強度を部分的に相違させること等により、機能層の一部だけが剥離するようにすることもできる。シール材がシーラント層、機能層、保護層を有する場合は、保護層のみが層の一部又は全部で剥離するか、機能層と保護層の２層が一体となって剥離する。後者の場合、機能層と保護層の２層の全体が剥離しても、機能層と保護層の２層の一部だけが剥離してもよい。
【００１７】
シール材においては、機能層及び／又は保護層には、切込み又は目打ちが形成されており、視認可能な欠陥及び／又は隣接する層からの剥離は、この切込み又は目打ちに沿って生じることが好ましい。機能層や保護層に切込みを入れるか、目打ち（連続した細孔）を機能層に形成させると、針状物による穿刺やその後の抜針により、これらに沿って容易に亀裂や小片化が生じたり、剥離したりするため、異物が混入されたこと、異物を混入させる試みがされたことの検出がより確実になる。
【００１８】
本発明は上述したシール材の他、容器も提供する。すなわち、本発明は、内容物を収容する容器本体の開口部をシール材で被覆した容器であって、上記シール材は、上述したシールである容器を提供する。本発明はまた、内容物として薬剤を収容する容器本体と、この容器本体に一端が接続され上記薬剤を流出入させるポートとを備える容器であって、上記ポートの他端は、上述したシール材で被覆されている容器（「薬剤容器」に相当する。）を提供する。
【００１９】
すなわち、本発明のシール材は、バイアル瓶等の薬剤容器、及びゼリー、豆腐、インスタントコーヒーのビン、サプリメントボトル等の食品容器の開口を封止するものとしても適用できる。
【００２０】
これらの容器は、本発明のシール材で開口が被覆されていることから、開口から容器本体に異物が混入された場合や異物を混入させる試みがされた場合に、層の欠陥や層剥離が生じることから、その事実を目視により容易に検出することができる。
【発明の効果】
【００２１】
本発明によれば、針状物等で容器のシール材を穿刺することで、容器本体に異物が混入された場合や異物を混入させる試みがされた場合であっても、容易にその事実を検知可能な手段を提供することができる。
【図面の簡単な説明】
【００２２】
【図１】第１実施形態の薬剤容器の上面図である。
【図２】図１のＡで示される部分の断面図である。
【図３】第１実施形態のシール材の断面図である。
【図４】ポートからニードルによる穿刺が行われたところを示す断面図である。
【図５】第１実施形態のシール材からニードルの抜針が行われたところを示す断面図である。
【図６】（ａ）は切込みを設けたシール材の上面図、（ｂ）は層を貫通しないように切込みを設けた場合の断面図、（ｃ）は層を貫通するように切込みを設けた場合の断面図である。
【図７】第２実施形態のシール材からニードルの抜針が行われたところを示す断面図である。
【図８】第３実施形態のシール材の断面図である。
【図９】第３実施形態のシール材からニードルの抜針が行われたところを示す断面図である。
【図１０】第２実施形態の薬剤容器の上面図である。
【発明を実施するための形態】
【００２３】
以下、図面を参照しながら、本発明の実施形態について詳細に説明する。本説明において、同一要素には同一符号を用いることとし、重複する説明は省略する。また、各図面の寸法比率は、必ずしも実際の寸法比率とは一致していない。
【００２４】
図１は、容器本体とシール材で被覆されたポートとを備える容器（後述のように第１実施形態の薬剤容器に該当する。）の上面図であり、図２は図１のＡで示される部分の断面図である。図１に示す薬剤容器３０は、薬剤３２を収容する容器本体３４と、容器本体３４に一端が接続されたポート２０と、ポート２０の他端を被覆するシール材１とを備えている。ポート２０は筒状部２２と口部２４とから構成されており、図２に示すようにポート２０の内部には、薬剤３２の流出を防止するための封止体２６が配置されている。
【００２５】
図３は第１実施形態のシール材の断面図である。図３に示すシール材１は、ポート２０の他端と剥離可能に接着されるシーラント層１６と、シーラント層１６のポート２０に対向する面とは反対の面上に形成された機能層１７とを有している。なお、シーラント層１６と機能層１７とは弱シール（弱い接着強度）で接着していることが好ましく、層間には、弱シールのための接着剤又は粘着剤からなる接着剤層を有していてもよい。
【００２６】
図４は、ポート２０からニードルによる穿刺が行われたところを示す断面図である。図４においては、シリンジ本体４４とニードル４６とから構成されるシリンジ４０の内部に異物４２が導入され、これを用いて異物４２を混入させているところが示されている。ニードル４６は、封止体２６、シーラント層１６及び機能層１７を貫通しており、容器本体３４の内部に異物４２が混入されている。ニードル４６によるシール材１への穿刺により、シール材１の平面で部分的な圧力が印加され、これによりシール材１内に応力が発生し、シール材１の平面的な応力により機能層１７が破断小片化し、またシール材１の断面方向の応力が弱シールの強度に勝ることにより剥離が発生する。この小片化した機能層１７は、ニードル４６の抜針の後でもシーラント層１６上に残るか、抜針に従ってシーラント層１６上から除去される。このような状況は抜針後に視認することができることから、異物混入がなされたことが検出可能となる。
【００２７】
図５は、抜針に際して機能層の剥離が生じたところを示す断面図である。図５においては、ニードル４６が、封止体２６、シーラント層１６及び機能層１７を貫通して、容器本体３４の内部に異物４２が導入された後に、抜針されたところが示されている。ニードル４６の抜針に伴って、小片化した機能層１７がシーラント層１６から剥離し、ニードル４６に付着して除去されている。シール材１から小片化した機能層１７が除去されたことは抜針後に視認することができることから、異物混入がなされたことが容易に検出可能となる。なお、抜針後に小片化した機能層１７が剥離・除去されない場合であっても、機能層に発生する亀裂又は小片化は視認可能であり、異物混入がなされたことが容易に検出可能である。
【００２８】
図４及び図５に示すように第１実施形態のシール材１が用いられる場合、機能層１７に、格子状等の切込みを層の厚さ方向に設けるか、格子状等の目打ち（連続した細孔）を設けることが好ましい。このような構造にすることで、針状物による穿刺又は抜針に伴って、切込みや目打ちに沿って機能層１７が容易に切り離されるようになる。なお、切込みや目打ちは、機能層１７及びシーラント層１６の少なくとも一方に設けるようにしてもよい。
【００２９】
図６は、第１実施形態のシール材１の機能層１７に切込みを設けたものを示しており、（ａ）は切込みを設けたシール材の上面図、（ｂ）は層を貫通しないように切込みを設けた場合の断面図、（ｃ）は層を貫通するように切込みを設けた場合の断面図である。図６（ａ）に示すシール材においては、機能層１７に切込み６２が格子状に設けられている。図６（ａ）では、切込み６２は、機能層１７のシーラント層１６と接する面と反対の面側（上面側）から形成されているが、切込み６２はシーラント層１６側から層を貫通しないように設けてもよい。なお、層を貫通しない切込みと貫通する切込みは混在していてもよく、この場合において、層を貫通しない上面側から設けた切込みと、層を貫通しない下面側から設けた切込みとが混在していてもよい。なお、上記はシーラント層１６に切込みを設けた場合にも相当する。
【００３０】
図５においては、機能層１７の一部が剥離されているが、剥離は機能層１７の全部で生じてもよい。機能層１７全部で剥離が生じるシール材は、第２実施形態のシール材であり、このシール材は、シーラント層１６と、シーラント層１６に対して全体が剥離可能に積層された機能層１７とから構成される。図７は、第２実施形態のシール材において、機能層１７全体が剥離しているところを示す断面図である。図７においては、封止体２６、シーラント層１６及び機能層１７を貫通したニードル４６により、異物４２が容器本体３４内部に混入された後に、ニードル４６を抜針したところが示されている。この場合において、ニードル４６によるシール材１への穿刺及び抜針により、シーラント層１６と機能層１７との間に剥離が生じ、抜針に従ってシーラント層１６上から全体が除去される。このような状況は抜針後に視認することができることから、異物混入がなされたことが検出可能となる。なお、第２実施形態のシール材においては、機能層１７に切込みや目打ちを設けない方が好ましい。
【００３１】
図８は、第３実施形態のシール材の断面図である。図８に示すシール材１はシーラント層１６、機能層１７及び保護層１４がこの順で積層されており、第１実施形態の機能層１７上に保護層１４が形成された構造を有している。なお、シーラント層１６と機能層１７とは弱シール（弱い接着強度）で接着していることが好ましく、機能層１７と保護層１４とは弱シールで接着していても強シール（強い接着強度）で接着していてもよい。シーラント層１６と機能層１７との接着は、接着剤等を用いず、互いに離間性が高い異なる材料のフィルムを熱圧着する等の方法で実現されることが好ましい。
【００３２】
図８に示す第３実施形態のシール材においては、シーラント層１６、機能層１７及び保護層１４のうち少なくとも１層に切込み又は目打ちを形成してもよい。このような構造にすることで、針状物による穿刺又は抜針に伴って、切込みや目打ちに沿って機能層１７が容易に切り離される。切込みは層を貫通するものであっても貫通しないものであってもよい。後者の場合、切込みは、シール材１の、ポート２０と対向する面とは反対側の面側（上面側）から設けても、ポート２０と対向する面側（下面側）から設けてもよい。シーラント層１６、機能層１７及び保護層１４のうち少なくとも１層に切込みを設ける場合において、切込みは層を貫通するものと貫通しないものとが混在していてもよい。層を貫通しない場合は、各層の上面側から形成されたものと下面側から形成されたものが混在していてもよい。
【００３３】
図９は、抜針に際して機能層及び保護層の剥離が生じたところを示す断面図である。図９においては、ニードル４６が、封止体２６、シーラント層１６、機能層１７及び保護層１４を貫通して、容器本体３４の内部に異物４２が導入された後に、抜針されたところが示されている。ニードル４６の抜針に伴って、小片化した機能層１７及び保護層１４がシーラント層１６から剥離し、ニードル４６に付着して除去されている。シール材１から小片化した機能層１７及び保護層１４が除去されたことは抜針後に視認することができることから、異物混入がなされたことが容易に検出可能となる。
【００３４】
第１及び第２実施形態のシール材１において、シーラント層１６は、例えば、ポリエチレン、ポリプロピレン等のポリオレフィン等の高分子物質で形成させることができ、機能層１７は、例えば、セルロース、紙、ポリエチレンテレフタレート、ナイロン、ポリプロピレン等で形成させることができる。
【００３５】
第３実施形態のシール材１において、シーラント層１６は、例えば、ポリエチレン、ポリプロピレン等のポリオレフィン等の高分子物質で形成させることができる。例えばシーラント層にポリエチレンを用いた場合は、機能層１７としてはポリエチレンと熱圧着等で接着し互いに離間性が高いナイロン、環状ポリオレフィン、メチルペンテンポリマー、ポリエチレンテレフタレート等を選択できる。保護層１４は、例えば、ポリエチレンテレフタレート、ポリブチレンテレフタレート、ポリプロピレン、ナイロン等の高分子物質で形成させることができる。なお、保護層１４は単層であっても、複数の層からなる積層体であってもよい。
【００３６】
第１及び第２実施形態のシール材は、シール材を構成する各層を個別に製造しておき、接着剤層等を介し貼り合わせる等の公知の技術によって製造可能である。
【００３７】
第３実施形態のシール材は、シーラント層の材料と機能層との材料との共押し出し形成することにより製造できる他、シール材を構成する各層を個別に製造しておき、全体を熱ラミネートする等の公知の技術によっても製造可能である。
【００３８】
上述したシール材を用いて薬剤容器を提供することができる。図１は、そのような薬剤容器を示す上面図である。図１に示す第１実施形態の薬剤容器３０は、薬剤３２を収容する容器本体３４と、容器本体３４に一端が接続され薬剤３２を流出入させるポート２０とを備え、ポート２０の他端は、実施形態のシール材１で被覆されている。なお、ポート２０はその内部に、薬剤３２の流出を防止する封止体２６を備えている。第１実施形態の薬剤容器３０は、薬剤３２を収容する収容部（薬剤収容部）が１つであるため、単室バッグに相当する。
【００３９】
図１０は、第２実施形態の容器（薬剤容器３０）を示す上面図である。図１０に示す薬剤容器３０は、薬剤を収容する収容部（薬剤収容部）を２つにしたこと、すなわち、ポート２０側の第１薬剤収容部に第１薬剤３２aを、ポート２０から離れた側の第２薬剤収容部に第２薬剤３２ｂを収容させたこと以外は、第１実施形態の薬剤容器と同様の構成を有する。第１薬剤収容部と第２薬剤収容部の間は、易剥離性を有する弱シール部３６で仕切られており、薬剤容器３０の使用の直前に弱シール部３６を剥離して、第１薬剤３２ａと第２薬剤３２ｂとを混合させる。なお、薬剤収容部を３以上にしたものであっても、実施形態のシール材１を適用可能である。
【００４０】
第１及び第２実施形態の薬剤容器において、容器本体３４に収容される、薬剤３２、第１薬剤３２a、第２薬剤３２ｂとしては、電解質液（生理食塩水、リンゲル液）、ブドウ糖液、アミノ酸液、ビタミン液、微量元素液等が挙げられる。薬剤は、液状であっても非液状（固形状等）であってもよい。
【００４１】
容器本体３４は、耐熱性、シール強度、透明性、不透湿性、柔軟性等に優れる高分子フィルムで構成させることができ、この高分子フィルムは上記性能向上のため積層体であってもよい。高分子フィルムに用いられる高分子としては、オレフィンの単独又は共重合体、オレフィンとオレフィン以外のエチレン性不飽和結合を有する化合物との共重合体、オレフィン以外のエチレン性不飽和結合を有する化合物の単独又は共重合体が挙げられる。オレフィン共重合体の例としては、エチレン・α-オレフィン共重合体があり、異なる密度を有するエチレン・α-オレフィン共重合体を複数積層した積層体で容器本体３４を構成することも可能である。
【００４２】
ポート２０は、口部２４と、口部２４の一端に嵌め込まれた筒状部２２と、筒状部２２内部に密着して配置され薬剤３２の流出を防止する封止体２６とから構成される。口部２４の他端は開口を覆うようにシール材１で被覆される。筒状部２２は容器本体３４と隙間なく接着（密着接合）されるが、筒状部２２を構成する部材と容器本体３４を構成する最内層とを同一の樹脂として、ヒートシール等により密着接合することが好ましい。
【００４３】
ポート２０は、筒状部２２の上部に封止体２６を挿入した後に、加熱した治具を用いて封止体２６に対して口部２４をプレスして被嵌させることで製造できる。また、シール材１の口部２４への接着は、ヒートシール又は接着剤塗布による接着で実現可能である。
【００４４】
第１実施形態の薬剤容器３０の製造方法としては、以下の方法がある。すなわち、容器本体３４を構成する１組の高分子フィルムについて、ポート２０が挿入される辺以外の３辺の周縁部をヒートシールする。次いで、筒状部２２をヒートシールされていない箇所に挿入した後に、筒状部２２と高分子フィルムとをヒートシールして隙間なく接着させる。筒状部２２を通して薬剤３２を容器本体３４内部に充填し、筒状部２２の上部に封止体２６を挿入した後に、加熱した治具を用いて封止体２６に対して口部２４をプレスして被嵌させる。次いで、シール材１を口部２４にヒートシールするか接着剤塗布で接着する。
【００４５】
第１実施形態の薬剤容器３０の他の製造方法としては、以下の方法がある。すなわち、筒状部２２を、容器本体３４を構成する１組の高分子フィルムで挟み、ヒートシールで隙間なく接着させる。次いで、筒状部２２の上部に封止体２６を挿入した後に、加熱した治具を用いて封止体２６に対して口部２４をプレスして被嵌させ、シール材１を口部２４にヒートシールするか接着剤塗布で接着する。これと同時又はこの後に、ポート２０が挿入されていない１辺を残して、残りの３辺の周縁部をヒートシールする。ヒートシールされていない１辺から薬剤３２を容器本体３４内部に充填し、その後、この辺をヒートシールする。
【００４６】
実施形態の薬剤容器３０は、シール材１でポート２０が被覆されていることから、ポート２０から容器本体３４内部に異物が混入された場合や異物を混入させる試みがされた場合に、機能層に視認可能な欠陥や隣接する層からの剥離が生じるため、異物が混入されたか混入させる試みがされた薬剤容器３０を正常品と誤認して使用することがなくなる。
【符号の説明】
【００４７】
１…シール材、１４…保護層、１６…シーラント層、１７…機能層、２０…ポート、２２…筒状部、２４…口部、２６…封止体、３０…薬剤容器、３２…薬剤、３２ａ…第１薬剤、３２ｂ…第２薬剤、３４…容器本体、３６…弱シール部、４０…シリンジ、４２…異物、４４…シリンジ本体、４６…ニードル、６２…切込み。
【図１】
2019037663.tif 000003
【図２】
2019037663.tif 000004
【図３】
2019037663.tif 000005
【図４】
2019037663.tif 000006
【図５】
2019037663.tif 000007
【図６】
2019037663.tif 000008
【図７】
2019037663.tif 000009
【図８】
2019037663.tif 000010
【図９】
2019037663.tif 000011
【図１０】
2019037663.tif 000012